(57)【要約】【課題】製造コストを抑制しつつ、カラー発光及び白色発光の双方を行うことのできる光源駆動装置を実現する。【解決手段】駆動装置１０は、ＬＥＤ１００、２００、及び３００に対して電流を供給可能な電流供給部１５と、ＬＥＤ１００及び２００にそれぞれ接続された抵抗１３及び抵抗１４と、電流供給部１５を、上記複数のＬＥＤの何れか１つに対して、抵抗１３及び抵抗１４を介することなく選択的に接続または遮断するスイッチ部１１と、電流供給部１５を、上記抵抗が接続された各ＬＥＤに対して、上記抵抗を介して接続または遮断するスイッチ部１２と、を備えており、第１の発光モードにおいて、上記複数のＬＥＤの何れか１つをスイッチ部１１により電流供給部１５に接続し、第２の発光モードにおいて、スイッチ部１２を接続状態に設定すると共に、上記抵抗が接続されていないＬＥＤをスイッチ部１１により電流供給部１５に接続する。【選択図】図１
2012256545.tif 000002
【特許請求の範囲】
【請求項１】
各色を個別に発光する複数の光源を駆動する光源駆動装置であって、
上記複数の光源に対して電流を供給可能な電流供給部と、
上記複数の光源の少なくとも何れかに個別に接続された抵抗部と、
上記電流供給部を、上記複数の光源の何れか１つに対して、上記抵抗部を介することなく選択的に接続または遮断する第１のスイッチ部と、
上記電流供給部を、上記抵抗部が接続された各光源に対して、上記抵抗部を介して接続または遮断する第２のスイッチ部と、
上記電流供給部、上記第１のスイッチ部、及び上記第２のスイッチ部を制御する制御部と、
を備えており、
上記制御部は、
第１の発光モードにおいて、上記第２のスイッチ部を遮断状態に設定すると共に、上記複数の光源の何れか１つを上記第１のスイッチ部により上記電流供給部に接続し、
第２の発光モードにおいて、上記第２のスイッチ部を接続状態に設定すると共に、上記抵抗部が接続されていない光源を上記第１のスイッチ部により上記電流供給部に接続する、
ことを特徴とする光源駆動装置。
【請求項２】
上記抵抗部は、上記複数の光源のうち、動作電圧が最も高い光源以外の光源に対して個別に接続されている、
ことを特徴とする請求項１に記載の光源駆動装置。
【請求項３】
上記制御部は、上記第１及び第２のスイッチ部のオンオフと、上記電流供給部が供給する電流の電流値とを同期して制御する、
ことを特徴とする請求項１または２に記載の光源駆動装置。
【請求項４】
上記抵抗部は、所定の抵抗値を有する抵抗から構成されている、
ことを特徴とする請求項１から３の何れか１項に記載の光源駆動装置。
【請求項５】
上記抵抗部は、抵抗値を制御可能な可変抵抗から構成されている、
ことを特徴とする請求項１から３の何れか１項に記載の光源駆動装置。
【請求項６】
上記抵抗部は、上記光源に流れる電流を制御可能なトランジスタを備えている、
ことを特徴とする請求項１から３の何れか１項に記載の光源駆動装置。
【請求項７】
請求項１から６の何れか１項に記載の光源駆動装置と、各色を個別に発光する複数の光源とを備えており、上記光源駆動装置によって、当該複数の光源を駆動することを特徴とする光源装置。
【請求項８】
上記光源の数は３であり、各光源は、３原色を個別に発光するものである、
ことを特徴とする請求項７に記載の光源装置。
【請求項９】
上記３原色は、赤色、緑色、及び青色である、
ことを特徴とする請求項８に記載の光源装置。
【請求項１０】
上記複数の光源の各々は、発光ダイオードである、
ことを特徴とする請求項７から９の何れか１項に記載の光源装置。
【請求項１１】
請求項７から１０の何れか１項に記載の光源装置を備えていることを特徴とするプロジェクタ。
【請求項１２】
各色を個別に発光する複数の光源に対して電流を供給可能な電流供給部と、
上記複数の光源の少なくとも何れかに個別に接続された抵抗部と、
上記電流供給部を、上記複数の光源の何れか１つに対して、上記抵抗部を介することなく選択的に接続または遮断する第１のスイッチ部と、
上記電流供給部を、上記抵抗部が接続された各光源に対して、上記抵抗部を介して接続または遮断する第２のスイッチ部と、
を備えている光源駆動装置の制御方法であって、
第１の発光モードにおいて、上記第２のスイッチ部を遮断状態に設定すると共に、上記複数の光源の何れか１つを上記第１のスイッチ部により上記電流供給部に接続し、
第２の発光モードにおいて、上記第２のスイッチ部を接続状態に設定すると共に、上記抵抗部が接続されていない光源を上記第１のスイッチ部により上記電流供給部に接続する、
ことを特徴とする制御方法。
【発明の詳細な説明】
【技術分野】
【０００１】
本発明は、光源を駆動するための光源駆動装置に関する。また、光源と光源駆動装置とを備えている光源装置、及び、そのような光源装置を備えているプロジェクタに関する。また、光源駆動装置の制御方法に関する。
【背景技術】
【０００２】
近年、光源として発光ダイオード（LED: Light Emitting Diode）を用いたプロジェクタであるＬＥＤプロジェクタの開発が進められている。ＬＥＤは、従来プロジェクタ用の光源として用いられていた高圧水銀ランプに比べて発熱量が少なく、長寿命である。また、ＬＥＤは小型であり、消費電力も小さいため、ポケットに入るような手のひらサイズの小型プロジェクタ（ピコプロジェクタとも呼ばれる）も実現されている。
【０００３】
このようなＬＥＤプロジェクタの光源としては、赤色の光を発光するＬＥＤ（赤色ＬＥＤまたはＬＥＤ（Ｒ）とも表記する）、緑色の光を発光するＬＥＤ（緑色ＬＥＤまたはＬＥＤ（Ｇ）とも表記する）、青色の光を発光するＬＥＤ（青色ＬＥＤまたはＬＥＤ（Ｂ）とも表記する）、及び白色の光を発光するＬＥＤ（白色ＬＥＤまたはＬＥＤ（Ｗ）とも表記する）を組み合わせて用いることが多い。ただし、白色ＬＥＤは高価であるため、コストアップの要因となっていた。そのため、白色ＬＥＤを備えることなく白色発光が可能な光源駆動装置が提案されている。
【０００４】
図５は、白色ＬＥＤを備えることなく白色発光が可能な従来の光源駆動装置（駆動装置４０と表記）の構成を示す図である。図５に示すように、駆動装置４０は、ＬＥＤ（Ｒ）１００、ＬＥＤ（Ｇ）２００、及びＬＥＤ（Ｂ）３００に対して個別に電流を供給するための電流供給部４１、４２、及び４３を備えている。ここで、電流供給部４１、４２、及び４３は、制御部４４から供給される設定信号＃４４ａ、＃４４ｂ、及び＃４４ｃに応じて、ＬＥＤに供給する電流値を調整することができる。
【０００５】
図５に示す駆動装置４０は、各ＬＥＤに供給する電流の値を同時に制御することが可能であるため、白色発光を行うことができる。また、各ＬＥＤを異なったタイミングで発光させることも可能であるため、時分割カラー発光（フィールドシーケンシャル発光）を行うこともできる。図６は、各発光色と電流供給部４１、４２、及び４３のオンオフとの対応関係を示している。
【０００６】
しかしながら、図５に示す駆動装置４０は、ＬＥＤ毎に電流供給部を備える構成であるため、部品の数が増大することによりコストが増大するという問題を有している。また、駆動装置全体としての発熱量が大きくなり、放熱対策が必要になるため、小型化が困難であるという問題を有している。
【０００７】
電流供給部の数を削減する試みとしては、例えば、特許文献１に記載されているような、赤色ＬＥＤ、緑色ＬＥＤ、および青色ＬＥＤの３つのＬＥＤに対して１つの電流供給部を備える構成が挙げられる。図７は、特許文献１に記載された光源駆動装置（駆動装置５０と表記）の構成を模式的に示す図である。図７に示すように、駆動装置５０は、１つの電流供給部５２と、スイッチ部５１とを備えている。スイッチ部５１は、電流供給部５３に接続するＬＥＤを、制御部５３から供給される設定信号＃５３ｂに応じて切り替える。
【０００８】
図７に示す駆動装置５０は、図８に示されているように、スイッチ部５１の切り替えにより、赤色ＬＥＤ、緑色ＬＥＤ、および青色ＬＥＤの各々を選択的に発光させることができる。したがって、赤色ＬＥＤ、緑色ＬＥＤ、および青色ＬＥＤをそれぞれ異なったタイミングで発光させることにより、時分割カラー発光が可能である。更に、電流供給部が１つであるため、コスト及び発熱量の低減を図ることができる。
【先行技術文献】
【特許文献】
【０００９】
【特許文献１】特開２００９−１４１８６４号明細書（公開日：平成２１年６月２５日）
【発明の概要】
【発明が解決しようとする課題】
【００１０】
しかしながら、図７に示す駆動装置５０では、各ＬＥＤを同時に発光させることができないため、白色発光を行うことができない。このため、白色発光を行うためには、別途白色ＬＥＤが必要になり、製造コストが増大するという問題を招来してしまう。
【００１１】
本発明は、上記の課題に鑑みて為されたものであり、その目的は、製造コストを抑制しつつ、カラー発光及び白色発光の双方を行うことのできる光源駆動装置を実現することにある。
【課題を解決するための手段】
【００１２】
上記の問題を解決するために、本発明に係る光源駆動装置は、各色を個別に発光する複数の光源を駆動する光源駆動装置であって、上記複数の光源に対して電流を供給可能な電流供給部と、上記複数の光源の少なくとも何れかに個別に接続された抵抗部と、上記電流供給部を、上記複数の光源の何れか１つに対して、上記抵抗部を介することなく選択的に接続または遮断する第１のスイッチ部と、上記電流供給部を、上記抵抗部が接続された各光源に対して、上記抵抗部を介して接続または遮断する第２のスイッチ部と、上記電流供給部、上記第１のスイッチ部、及び上記第２のスイッチ部を制御する制御部と、を備えており、上記制御部は、第１の発光モードにおいて、上記第２のスイッチ部を遮断状態に設定すると共に、上記複数の光源の何れか１つを上記第１のスイッチ部により上記電流供給部に接続し、第２の発光モードにおいて、上記第２のスイッチ部を接続状態に設定すると共に、上記抵抗部が接続されていない光源を上記第１のスイッチ部により上記電流供給部に接続する、ことを特徴としている。
【００１３】
上記のように構成された光源駆動装置によれば、上記複数の光源に対して電流を供給可能な電流供給部と、上記複数の光源の少なくとも何れかに個別に接続された抵抗部と、上記電流供給部を、上記複数の光源の何れか１つに対して、上記抵抗部を介することなく選択的に接続または遮断する第１のスイッチ部と、上記電流供給部を、上記抵抗部が接続された各光源に対して、上記抵抗部を介して接続または遮断する第２のスイッチ部と、上記電流供給部、上記第１のスイッチ部、及び上記第２のスイッチ部を制御する制御部と、を備えており、上記制御部は、第１の発光モードにおいて、上記第２のスイッチ部を遮断状態に設定すると共に、上記複数の光源の何れか１つを上記第１のスイッチ部により上記電流供給部に接続する。
【００１４】
したがって、上記光源駆動装置によれば、上記第１の発光モードにおいて、各色の光源の何れかを発光させるカラー発光を行うことができる。
【００１５】
また、上記制御部は、第２の発光モードにおいて、上記第２のスイッチ部を接続状態に設定すると共に、上記抵抗部が接続されていない光源を上記第１のスイッチ部により上記電流供給部に接続する。これにより、上記電流供給部は、上記第２の発光モードにおいて、各色の光源のうち、上記抵抗部が接続された光源に対して、当該抵抗部を介して電流を供給すると共に、各色の光源のうち、上記抵抗部が接続されていない光源に対して、抵抗部を介することなく電流を供給することになる。
【００１６】
したがって、上記光源駆動装置によれば、上記抵抗部の抵抗値を調整しておくことによって、上記第２の発光モードにおいて、各光源が発光する各色の混色を所望の色味にすることができる。例えば、各光源が、３原色を個別に発光するものである場合、上記第２の発光モードにおいて、各光源が発光する各色の混色を白色にすることができる。
【００１７】
また、上記光源駆動装置は、各光源に対して共通の電流供給部を備えていればよく、各光源に対して個別に電流供給部を備える必要がないので、製造コストが抑制される。
【００１８】
このように、上記光源駆動装置によれば、製造コストを抑制しつつ、カラー発光及び白色発光の双方を行うことができる。
【００１９】
上記光源駆動装置においては、上記抵抗部は、上記複数の光源のうち、動作電圧が最も高い光源以外の光源に対して個別に接続されている、ことが好ましい。
【００２０】
上記の構成によれば、上記抵抗部は、上記複数の光源のうち、動作電圧が最も高い光源以外の光源に対して個別に接続されているので、上記第２の発光モードにおいて、上記電流供給部は、動作電圧が最も高い光源に対しては、抵抗部を介することなく電流を供給し、それ以外の各光源に対しては、各抵抗部を介して電流を供給する。
【００２１】
したがって、上記の構成によれば、動作電圧が最も高い光源以外の光源に対して供給される電流の値を、当該動作電圧が最も高い光源に対して供給される電流の値よりも小さくすることができる。
【００２２】
これにより、相対的に動作電圧が低い光源に対して、過剰な電流が供給されることを防ぐことができ、これら相対的に動作電圧が低い光源の損傷を防ぐことができるという更なる効果を奏する。
【００２３】
上記光源駆動装置においては、上記制御部は、上記第１及び第２のスイッチ部のオンオフと、上記電流供給部が供給する電流の電流値とを同期して制御する、ことが好ましい。
【００２４】
上記の構成によれば、上記制御部は、上記第１及び第２のスイッチ部のオンオフと、上記電流供給部が供給する電流の電流値とを同期して制御するので、上記第１の発光モード及び上記第２の発光モードの双方において、各光源を適切に発光させることができる。例えば、上記第１のスイッチ部が上記電流供給部を、各光源の何れに接続するのかに応じて、上記電流供給部が供給する電流の値を制御するので、各光源を所望の明るさにて発光させることができる。
【００２５】
上記光源駆動装置においては、上記抵抗部は、所定の抵抗値を有する抵抗から構成されている、ことが好ましい。
【００２６】
上記の構成によれば、上記抵抗部は、所定の抵抗値を有する抵抗から構成されているので、単純な構成によって、カラー発光及び白色発光の双方を行うことができる。
【００２７】
なお、上記所定の抵抗値としては、上記抵抗部が接続される光源の特性に応じたものを用いればよい。例えば、動作電圧がより低い光源に接続される抵抗部として、より抵抗値の大きいものを用いればよい。
【００２８】
上記光源駆動装置においては、上記抵抗部は、抵抗値を制御可能な可変抵抗から構成されている、ことが好ましい。
【００２９】
上記の構成によれば、上記抵抗部は、抵抗値を制御可能な可変抵抗から構成されているので、各抵抗部の抵抗値を容易に変更することができる。
【００３０】
上記光源駆動装置においては、上記抵抗部は、上記光源に流れる電流を制御可能なトランジスタを備えている、ことが好ましい。
【００３１】
上記の構成によれば、上記光源に流れる電流を容易に制御することができる。
【００３２】
また、本発明に係る光源装置は、上記光源駆動装置と、各色を個別に発光する複数の光源とを備えており、上記光源駆動装置によって、当該複数の光源を駆動することを特徴としている。
【００３３】
上記のように構成された光源装置によれば、上記光源駆動装置と同様の効果を奏する。
【００３４】
上記光源装置においては、上記光源の数は３であり、各光源は、３原色を個別に発光するものである、ことが好ましい。
【００３５】
上記の構成によれば、上記第１の発光モードにおいて、３原色の何れかを適切に発光することができると共に、上記第２の発光モードにおいて、３原色の所望の混色を発光することができる。例えば、３原色の混色として、白色を発光することができる。
【００３６】
また、上記光源装置においては、上記３原色は、赤色、緑色、及び青色である、ことが好ましい。
【００３７】
上記の構成によれば、上記第１の発光モードにおいて、赤色、緑色、及び青色の何れかを適切に発光することができると共に、上記第２の発光モードにおいて、赤色、緑色、及び青色の所望の混色を発光することができる。例えば、３原色の混色として、白色を発光することができる。
【００３８】
また、上記光源装置においては、上記複数の光源の各々は、発光ダイオードである、ことが好ましい。
【００３９】
上記の構成によれば、上記光源は発光ダイオードであるので、発熱量が少なく、長寿命である光源装置を実現することができるという更なる効果を奏する。
【００４０】
また、上記光源装置を備えるプロジェクタも本発明の範疇に含まれる。
【００４１】
また、本発明に係る制御方法は、各色を個別に発光する複数の光源に対して電流を供給可能な電流供給部と、上記複数の光源の少なくとも何れかに個別に接続された抵抗部と、上記電流供給部を、上記複数の光源の何れか１つに対して、上記抵抗部を介することなく選択的に接続または遮断する第１のスイッチ部と、上記電流供給部を、上記抵抗部が接続された各光源に対して、上記抵抗部を介して接続または遮断する第２のスイッチ部と、を備えている光源駆動装置の制御方法であって、第１の発光モードにおいて、上記第２のスイッチ部を遮断状態に設定すると共に、上記複数の光源の何れか１つを上記第１のスイッチ部により上記電流供給部に接続し、第２の発光モードにおいて、上記第２のスイッチ部を接続状態に設定すると共に、上記抵抗部が接続されていない光源を上記第１のスイッチ部により上記電流供給部に接続する、ことを特徴としている。
【００４２】
上記制御方法によれば、第１の発光モードにおいて、上記第２のスイッチ部を遮断状態に設定すると共に、上記複数の光源の何れか１つを上記第１のスイッチ部により上記電流供給部に接続する。したがって、上記第１の発光モードにおいて、各色の光源の何れかを発光させるカラー発光を行うことができる。
【００４３】
また、第２の発光モードにおいて、上記第２のスイッチ部を接続状態に設定すると共に、上記抵抗部が接続されていない光源を上記第１のスイッチ部により上記電流供給部に接続する。これにより、上記電流供給部は、上記第２の発光モードにおいて、各色の光源のうち、上記抵抗部が接続された光源に対して、当該抵抗部を介して電流を供給すると共に、各色の光源のうち、上記抵抗部が接続されていない光源に対して、抵抗部を介することなく電流を供給することになる。
【００４４】
したがって、上記制御方法によれば、各光源が発光する各色の混色を所望の色味にすることができる。例えば、各光源が、３原色を個別に発光するものである場合、上記第２の発光モードにおいて、各光源が発光する各色の混色を白色にすることができる。
【００４５】
また、上記の光源駆動装置は、各光源に対して共通の電流供給部を備えていればよく、各光源に対して個別に電流供給部を備える必要がないので、製造コストが抑制される。
【００４６】
このように、上記光源駆動装置の制御方法によれば、製造コストを抑制しつつ、カラー発光及び白色発光の双方を行うことができる。
【発明の効果】
【００４７】
以上のように、本発明に係る光源駆動装置は、各色を個別に発光する複数の光源を駆動する光源駆動装置であって、上記複数の光源に対して電流を供給可能な電流供給部と、上記複数の光源の少なくとも何れかに個別に接続された抵抗部と、上記電流供給部を、上記複数の光源の何れか１つに対して、上記抵抗部を介することなく選択的に接続または遮断する第１のスイッチ部と、上記電流供給部を、上記抵抗部が接続された各光源に対して、上記抵抗部を介して接続または遮断する第２のスイッチ部と、上記電流供給部、上記第１のスイッチ部、及び上記第２のスイッチ部を制御する制御部と、を備えており、上記制御部は、第１の発光モードにおいて、上記第２のスイッチ部を遮断状態に設定すると共に、上記複数の光源の何れか１つを上記第１のスイッチ部により上記電流供給部に接続し、第２の発光モードにおいて、上記第２のスイッチ部を接続状態に設定すると共に、上記抵抗部が接続されていない光源を上記第１のスイッチ部により上記電流供給部に接続する、ことを特徴としている。
【００４８】
上記のように構成された光源駆動装置によれば、製造コストを抑制しつつ、カラー発光及び白色発光の双方を行うことができる。
【図面の簡単な説明】
【００４９】
【図１】本発明の第１の実施形態に係る光源装置の構成を示す図である。
【図２】本発明の第１の実施形態に係る光源装置の動作を説明するための表であって、（ａ）は、第１の発光モードにおける発光色と、２つのスイッチ部による接続態様との対応関係を示しており、（ｂ）は、第２の発光モードにおける発光色と、２つのスイッチ部による接続態様との対応関係を示している。
【図３】本発明の第２の実施形態に係る光源装置の構成を示す図である。
【図４】本発明の第３の実施形態に係る光源装置の構成を示す図である。
【図５】従来技術に係る光源装置の構成を模式的に示す図である。
【図６】図５に示す光源装置が発光する発光色と、３つの電流供給部のオンオフとの対応関係を示す表である。
【図７】従来技術に係る他の光源装置を模式的に示す図である。
【図８】図７に示す光源装置が発光する発光色と、スイッチ部の接続態様との対応関係を示す表である。
【発明を実施するための形態】
【００５０】
〔実施形態１〕
（光源装置１）
本発明に係る一実施形態について、図１を参照して説明する。
【００５１】
図１は、本実施形態に係る光源装置１の構成を示す図である。図１に示すように、光源装置１は、ＬＥＤ（Ｒ）１００、ＬＥＤ（Ｇ）２００、ＬＥＤ（Ｂ）３００、及び駆動装置（光源駆動装置）１０を備えている。駆動装置１０は、ＬＥＤ（Ｒ）１００、ＬＥＤ（Ｇ）２００、及びＬＥＤ（Ｂ）３００を駆動するための構成であり、図１に示すように、スイッチ部１１（第１のスイッチ部）及びスイッチ部１２（第２のスイッチ部）、抵抗１３及び１４、電流供給部１５および制御部１６を備えている。
【００５２】
ＬＥＤ（Ｒ）１００、ＬＥＤ（Ｇ）２００、及びＬＥＤ（Ｂ）３００は、駆動装置１０から供給される電流により、それぞれ、赤色、緑色、及び青色の光を発光する。図１に示すように、ＬＥＤ（Ｒ）１００、ＬＥＤ（Ｇ）２００、及びＬＥＤ（Ｂ）３００のアノードは、後述する電流供給部１５に接続されている。また、ＬＥＤ（Ｒ）１００、ＬＥＤ（Ｇ）２００、及びＬＥＤ（Ｂ）３００のカソードは、それぞれ、スイッチ部１１の備える接点ａ、ｂ、及びｃに接続されている。
【００５３】
なお、各ＬＥＤに流れる電流値が７００（ｍＡ）である場合の、各ＬＥＤの動作電圧は、例えば以下に示すとおりである。
【００５４】
ＬＥＤ（Ｒ）１００：２．３５（Ｖ）
ＬＥＤ（Ｇ）２００：３．４８（Ｖ）
ＬＥＤ（Ｂ）３００：３．５２（Ｖ）
なお、動作電圧とは、各ＬＥＤに対して所定の電流を流すために印加するべき電圧の値のことである。
【００５５】
以下では、ＬＥＤ（Ｒ）１００、ＬＥＤ（Ｇ）２００、及びＬＥＤ（Ｂ）３００のうち、ＬＥＤ（Ｂ）の動作電圧が最も高いものとして説明を行うが、これは本実施形態を限定するものではない。
【００５６】
抵抗１３は、一端がＬＥＤ（Ｒ）１００のカソード側に接続され、もう一端がスイッチ部１２の接点ｄに接続されている。抵抗１４は、一端がＬＥＤ（Ｇ）２００のカソード側に接続され、もう一端がスイッチ部１２の接点ｅに接続されている。一方で、図１に示すように、ＬＥＤ（Ｂ）３００には、抵抗は接続されていない。
【００５７】
抵抗１３及び抵抗１４の具体的な抵抗値は、後述する第２の発光モードにおいて発光する各ＬＥＤからの光の混色が白色となるように予め調整しておくことができる。
【００５８】
電流供給部１５は、ＬＥＤ（Ｒ）１００、ＬＥＤ（Ｇ）２００、及びＬＥＤ（Ｂ）３００に電流（より具体的には順方向電流）を供給するための構成であり、制御部１６から供給される設定信号＃１６ａに応じて、これらのＬＥＤに印加する電圧の値、及び、これらのＬＥＤに供給する電流の値を変更することができる。
【００５９】
制御部１６は、駆動装置１０の備える各部を制御するための構成であり、電流供給部１５に対して設定信号＃１６ａを供給し、スイッチ部１１に対して設定信号＃１６ｂを供給し、スイッチ部１２に対して設定信号＃１６ｃを供給する。制御部１６は、これらの設定信号によって、電流供給部１５から各ＬＥＤに供給される電流の値と、スイッチ部１１及びスイッチ部１２のオンオフの動作とを同期して制御することができる。
【００６０】
なお、設定信号＃１６ａ、＃１６ｂ、＃１６ｃの具体的な波形は本実施形態を限定するものではないが、これらの設定信号として、例えば、矩形の波形を有する信号を用いることができる。
【００６１】
スイッチ部１１は、電流供給部１５に接続された端部ｘと、該端部を選択的に接続可能な３つの接点（接点ａ、ｂ、及びｃ）を備えている。スイッチ部１１は、制御部１６から供給される設定信号＃１６ｂに応じて、電流供給部１５を各接点に排他的に接続したり遮断したりする。換言すれば、スイッチ部１１は、制御部１６から供給される設定信号＃１６ｂに応じて、電流供給部１５を、接点ａ、ｂ、及びｃの何れか１つに対して選択的に接続する。
【００６２】
より具体的には、スイッチ部１１の備える端部ｘが接点ａに接続される場合、ＬＥＤ（Ｒ）１００に電流が流れてＬＥＤ（Ｒ）１００が発光する。同様に、端部ｘが接点ｂに接続される場合、ＬＥＤ（Ｇ）２００に電流が流れてＬＥＤ（Ｇ）２００が発光する。また、端部ｘが接点ｃに接続される場合、ＬＥＤ（Ｂ）３００に電流が流れてＬＥＤ（Ｂ）３００が発光する。
【００６３】
スイッチ部１２は、電流供給部１５に接続された端部ｙと、端部ｙを同時に接続可能な２つの接点（接点ｄ及びｅ）を備えている。スイッチ部１２は、制御部１６から供給される設定信号＃１６ｃに応じて、接点ｄ及びｅと電流供給部１５とを接続したり遮断したりする。
【００６４】
駆動装置１０は、以下に説明するように、第１の発光モード及び第２の発光モードのうち、何れかの発光モードにて各ＬＥＤを発光させることができる。
【００６５】
（第１の発光モード）
駆動装置１０は、第１の発光モードにおいて、ＬＥＤ（Ｒ）１００、ＬＥＤ（Ｇ）２００、及びＬＥＤ（Ｂ）３００をそれぞれ異なったタイミングで発光させる。すなわち、第１の発光モードは、各時刻において、ＬＥＤ（Ｒ）１００、ＬＥＤ（Ｇ）２００、およびＬＥＤ（Ｂ）３００の何れか１つが発光するモード（時分割発光モード）である。
【００６６】
第１の発光モードにおける発光色（赤、緑、青）と、スイッチ部１１及びスイッチ部１２の接続の態様との関係を図２（ａ）に示す。
【００６７】
図２（ａ）に示すように、第１の発光モードにおいて、スイッチ部１１の備える端部ｘは、設定信号＃１６ｂに応じて、接点ａ、ｂ及びｃの何れかに接続される。また、第１の発光モードにおいて、スイッチ部１２はオフの状態のままである。
【００６８】
このように、第１の発光モードにおいては、各時刻において、ＬＥＤ（Ｒ）１００、ＬＥＤ（Ｇ）２００、およびＬＥＤ（Ｂ）３００の何れか１つが発光する。
【００６９】
（第２の発光モード）
駆動装置１０は、第２の発光モードにおいて、ＬＥＤ（Ｒ）１００、ＬＥＤ（Ｇ）２００、及びＬＥＤ（Ｂ）３００を同時に発光させる。第２の発光モードは、ＬＥＤ（Ｒ）１００、ＬＥＤ（Ｇ）２００、及びＬＥＤ（Ｂ）３００の３つのＬＥＤを同時に発光させることにより、白色を発光させるモードである。
【００７０】
第２の発光モードにおける発光色（白）と、スイッチ部１１及びスイッチ部１２の接続の態様との関係を図２（ｂ）に示す。
【００７１】
図２（ｂ）に示すように、第２の発光モードにおいては、スイッチ部１１の端部ｘが接点ｃに接続される。これにより、ＬＥＤ（Ｂ）３００に電流が流れてＬＥＤ（Ｂ）３００が青色に発光する。
【００７２】
また、図２（ｂ）に示すように、スイッチ部１２の端部ｙは接点ｄ及びｅに接続される。これにより、ＬＥＤ（Ｒ）１００及びＬＥＤ（Ｇ）２００に電流が流れてＬＥＤ（Ｒ）１００及びＬＥＤ（Ｇ）２００がそれぞれ赤色及び緑色に発光する。
【００７３】
一般に、ＬＥＤ（Ｒ）１００、ＬＥＤ（Ｇ）２００、及びＬＥＤ（Ｂ）３００は互いに動作電圧が異なっているため、これらのＬＥＤに同じ電圧を印加したとしても、これらのＬＥＤが発光する光の混色が白色になるとは限らない。また、各ＬＥＤに対して同じ電圧を印加したとしても、動作電圧の高いＬＥＤには大きな電流は流れないが、動作電圧の低いＬＥＤには過電流が流れてしまう場合がある。
【００７４】
本実施形態に係る駆動装置１０は、ＬＥＤ（Ｒ）１００、ＬＥＤ（Ｇ）２００、及びＬＥＤ（Ｂ）３００のうち、動作電圧の最も高いＬＥＤ（Ｂ）３００以外のＬＥＤであるＬＥＤ（Ｒ）１００及びＬＥＤ（Ｇ）２００に対して接続される抵抗１３及び抵抗１４を備えているため、ＬＥＤ（Ｒ）１００及びＬＥＤ（Ｇ）２００に対して過電流が供給される事態を防ぐことができる。また、抵抗１３及び抵抗１４の抵抗値を予め調整しておくことによって、各ＬＥＤが発光する光の混色を白色にすることができる。
【００７５】
（駆動装置１０の奏する効果）
以上のように、駆動装置１０は、ＬＥＤ（Ｒ）１００、ＬＥＤ（Ｇ）２００、及びＬＥＤ（Ｂ）３００に対して、１つの電流供給部を備えるという単純な構成によって、各ＬＥＤを時分割発光させる第１の発光モード、及び、各ＬＥＤを同時に発光させることにより白色発光を行う第２の発光モードの双方を実現することができる。
【００７６】
（実施形態１に関する付記事項）
以上の説明では、抵抗１３及び抵抗１４が、ＬＥＤ（Ｒ）１００及びＬＥＤ（Ｇ）２００に接続される構成を例に挙げたが、これは本実施形態を限定するものではない。より一般に、ＬＥＤ（Ｒ）１００、ＬＥＤ（Ｇ）２００、及びＬＥＤ（Ｂ）３００のうち、動作電圧が最も高いＬＥＤ以外のＬＥＤに対して、抵抗１３及び抵抗１４を接続する構成とすればよい。
【００７７】
また、以上の説明では、抵抗１３及び抵抗１４が、ＬＥＤ（Ｒ）１００及びＬＥＤ（Ｇ）２００のカソード側に接続される構成を例に挙げたが、本実施形態はこれに限定されるものではなく、抵抗１３及び抵抗１４は、ＬＥＤ（Ｒ）１００及びＬＥＤ（Ｇ）２００のアノード側に接続される構成としてもよい。
【００７８】
また、以上の説明では、駆動装置１０が、抵抗１３及び抵抗１４の２つの抵抗を備える構成を例に挙げたが、本実施形態はこれに限定されるものではない。一般に、各ＬＥＤの動作電圧は、ＬＥＤを構成する材料及び、ＬＥＤが搭載されるチップのサイズ等に応じて変化しうる。これらの材料及びチップサイズ如何によっては、抵抗１３及び抵抗１４のうち、何れか一方を省略することも可能である。
【００７９】
〔実施形態２〕
本発明に係る第２の実施形態について、図３を参照して説明する。なお、実施形態１において既に説明した部分と同様の部分については、同じ符号を付し、その説明を省略する。
【００８０】
（光源装置２）
図３に示すように、本実施形態に係る光源装置２は、光源装置１の備える抵抗（抵抗部）１３及び１４に代えて、それぞれ、可変抵抗（抵抗部）２１及び２２を備えている。ここで、可変抵抗２１及び２２の抵抗値は、例えば、０から２００オームまでの範囲で設定が可能である。また、可変抵抗２１及び２２の具体的な抵抗値は、制御部２３より供給される設定信号＃２３ｄによって個別に変更することが可能である。
【００８１】
制御部２３は、駆動装置（光源駆動装置）２０の備える各部を制御するための構成であり、電流供給部１５に対して設定信号＃２３ａを供給し、スイッチ部１１に対して設定信号＃２３ｂを供給し、スイッチ部１２に対して設定信号＃２３ｃを供給し、可変抵抗２１及び２２に対して設定信号＃２３ｄを供給する。制御部２３は、これらの設定信号によって、電流供給部１５から各ＬＥＤに供給される電流の値と、スイッチ部１１及びスイッチ部１２のオンオフの動作とを同期して制御することができる。
【００８２】
なお、設定信号＃２３ａ、＃２３ｂ、＃２３ｃの具体的な波形は本実施形態を限定するものではないが、これらの設定信号として、例えば、矩形の波形を有する信号を用いることができる。
【００８３】
駆動装置２０においても、実施形態１と同様に、第１の発光モード及び第２の発光モードのうち、何れかの発光モードにてＬＥＤを発光させることができる。これらの発光モードの詳細については、実施形態１において既に述べたため、ここでは説明を省略し、以下では、可変抵抗２１及び２２の抵抗値の調整方法について説明する。
【００８４】
（可変抵抗の抵抗値の調整方法）
可変抵抗２１及び２２の抵抗値は、以下のステップによって調整することが好ましい。
【００８５】
（ステップＳ１０１）
まず、可変抵抗２１及び２２の抵抗値を、最終的な抵抗値として想定される値よりも高めに設定する。
【００８６】
（ステップＳ１０２）
続いて、ＬＥＤ（Ｂ）３００が発光する光の明るさが所定の明るさとなるように、電流供給部１５が供給する駆動電圧の値を調整する。
【００８７】
（ステップＳ１０３）
続いて、可変抵抗２１及び２２の抵抗値を下げていき、ＬＥＤ（Ｒ）１００、ＬＥＤ（Ｇ）２００及びＬＥＤ（Ｂ）３００がそれぞれ発光する光の混色が白色となるよう調整する。この状態において各ＬＥＤに流れる電流の電流値が、白色発光させるときの最適値である。
【００８８】
（駆動装置２０の奏する効果）
駆動装置２０は、実施形態１に係る駆動装置１０の奏する効果に加えて、以下の効果を奏する。
【００８９】
駆動装置２０は、可変抵抗２１及び２２を備えているので、第２の発光モードにおいて白色発光させる際の各色のバランスを調整することが容易である。一般に、ＬＥＤの発光効率は温度依存性を有するが、駆動装置２０によれば、温度に応じて可変抵抗２１及び２２の抵抗値を変化させることにより、温度が変化しても白色の色味が変化しないよう調整することができる。
【００９０】
また、各ＬＥＤの発光効率は、一般に、個体依存性を有するため、使用するＬＥＤを交換すると、白色の色味に変化が生じ得る。駆動装置２０によれば、このような場合であっても、可変抵抗２１及び２２の抵抗値を調整することにより、白色の色味を一定に保つことができる。
【００９１】
（実施形態２に関する付記事項）
以上の説明では、可変抵抗２１及び可変抵抗２２が、ＬＥＤ（Ｒ）１００及びＬＥＤ（Ｇ）２００に接続される構成を例に挙げたが、これは本実施形態を限定するものではない。より一般に、ＬＥＤ（Ｒ）１００、ＬＥＤ（Ｇ）２００、及びＬＥＤ（Ｂ）３００のうち、動作電圧が最も高いＬＥＤ以外のＬＥＤに対して、可変抵抗２１及び可変抵抗２２を接続する構成とすればよい。
【００９２】
また、以上の説明では、可変抵抗２１及び可変抵抗２２が、ＬＥＤ（Ｒ）１００及びＬＥＤ（Ｇ）２００のカソード側に接続される構成を例に挙げたが、本実施形態はこれに限定されるものではなく、可変抵抗２１及び可変抵抗２２は、ＬＥＤ（Ｒ）１００及びＬＥＤ（Ｇ）２００のアノード側に接続される構成としてもよい。
【００９３】
また、以上の説明では、駆動装置２０が、可変抵抗２１及び可変抵抗２２の２つの可変抵抗を備える構成を例に挙げたが、本実施形態はこれに限定されるものではない。一般に、各ＬＥＤの動作電圧は、ＬＥＤを構成する材料及び、ＬＥＤが搭載されるチップのサイズ等に応じて変化しうる。これらの材料及びチップサイズ如何によっては、可変抵抗２１及び可変抵抗２２のうち、何れか一方を省略することも可能である。
【００９４】
〔実施形態３〕
（光源装置３）
本発明に係る他の実施形態について、図４を参照して説明する。なお、実施形態１において既に説明した部分と同様の部分については、同じ符号を付し、その説明を省略する。
【００９５】
図４に示すように、本実施形態に係る光源装置３は、光源装置１の備える抵抗（抵抗部）１３に代えて、トランジスタ３１、抵抗３３、抵抗３４、及び電源３７を備えている。同様に、光源装置３は、光源装置１の備える抵抗１４に代えて、トランジスタ３２、抵抗３５、抵抗３６、及び電源３８を備えている。
【００９６】
トランジスタ３１、抵抗３３、抵抗３４、及び電源３７は、ＬＥＤ（Ｒ）１００に流れる電流の値を調整するための構成であり、トランジスタ３２、抵抗３５、抵抗３６、及び電源３８は、ＬＥＤ（Ｇ）２００に流れる電流の値を調整するための構成である。
【００９７】
図４に示すように、トランジスタ３１のコレクタは、ＬＥＤ（Ｒ）１００のカソード側に接続されており、トランジスタ３１のエミッタはスイッチ部２１の有する接点ｄに接続されている。また、トランジスタ３１のベースは、抵抗３３を介して電源３７に接続されている。また、抵抗３４は、トランジスタ３１のベースとエミッタとの間に接続されている。
【００９８】
また、図４に示すように、トランジスタ３２のコレクタは、ＬＥＤ（Ｇ）２００のカソード側に接続されており、トランジスタ３２のエミッタはスイッチ部２１の有する接点ｅに接続されている。また、トランジスタ３２のベースは、抵抗３５を介して電源３８に接続されている。また、抵抗３６は、トランジスタ３１のベースとエミッタとの間に接続されている。
【００９９】
電源３７及び電源３８は、設定信号＃３９ｄによって個別に制御され、それぞれ、トランジスタ３１及びトランジスタ３２のベース電流を供給する。トランジスタ３１及びトランジスタ３２のコレクタ−エミッタ間電流は、それぞれのベース電流に依存して変化するため、電源３７及び電源３８を制御することによって、ＬＥＤ（Ｒ）１００及びＬＥＤ（Ｇ）２００に流れる電流の値を調整することができる。
【０１００】
このように、トランジスタ３１、抵抗３３、抵抗３４、及び電源３７は、全体として、実施形態２に係る可変抵抗２１に対応する構成であると表現することもできる。以下では、トランジスタ３１、抵抗３３、抵抗３４、及び電源３７をまとめて抵抗部Ｒ１と呼称することもある。また、トランジスタ３２、抵抗３５、抵抗３６、及び電源３８は、全体として、実施形態２に係る可変抵抗２２に対応する構成であると表現することもできる。以下では、トランジスタ３２、抵抗３５、抵抗３６、及び電源３８をまとめて低後部Ｒ２と呼称することもある。
【０１０１】
制御部３９は、駆動装置（光源駆動装置）３０の備える各部を制御するための構成であり、電流供給部１５に対して設定信号＃３９ａを供給し、スイッチ部１１に対して設定信号＃３９ｂを供給し、スイッチ部１２に対して設定信号＃３９ｃを供給し、電源３７及び３８に対して設定信号＃３９ｄを供給する。制御部３９は、これらの設定信号によって、電流供給部１５から各ＬＥＤに供給される電流の値と、スイッチ部１１及びスイッチ部１２のオンオフの動作とを同期して制御することができる。
【０１０２】
なお、設定信号＃３９ａ、＃３９ｂ、＃３９ｃ、＃３９ｄの具体的な波形は本実施形態を限定するものではないが、これらの設定信号として、例えば、矩形の波形を有する信号を用いることができる。
【０１０３】
駆動装置３０においても、実施形態１と同様に、第１の発光モード及び第２の発光モードのうち、何れかの発光モードにてＬＥＤを発光させることができる。これらの発光モードの詳細については、実施形態１において既に述べたため、ここでは説明を省略し、以下では、ＬＥＤ（Ｒ）１００、ＬＥＤ（Ｇ）２００及びＬＥＤ（Ｂ）３００に流れる電流の調整方法について説明する。
【０１０４】
（各ＬＥＤに流れる電流値の調整方法）
各ＬＥＤに流れる電流値は、以下のステップによって調整することが好ましい。
【０１０５】
（ステップＳ２０１）
まず、電源３７及び３８が供給するベース電流の値を、最終的なベース電流として想定される値よりも低めに設定する。
【０１０６】
（ステップＳ２０２）
続いて、ＬＥＤ（Ｂ）３００が発光する光の明るさが所定の明るさとなるように、電流供給部１５が供給する駆動電圧の値を調整する。
【０１０７】
（ステップＳ２０３）
続いて、電源３７及び３８が供給するベース電流の値を上げていき、ＬＥＤ（Ｒ）１００、ＬＥＤ（Ｇ）２００及びＬＥＤ（Ｂ）３００がそれぞれ発光する光の混色が白色となるよう調整する。この状態において各ＬＥＤに流れる電流の電流値が、白色発光させるときの最適値である。
【０１０８】
（駆動装置３０の奏する効果）
駆動装置３０は、実施形態２に係る駆動装置２０の奏する効果と同様の効果を奏する。より具体的には、
駆動装置３０は、トランジスタ３１及びトランジスタ３２を備えているので、これらのトランジスタに供給されるベース電流の値を制御することによって、第２の発光モードにおいて白色発光させる際の各色のバランスを調整することが容易である。一般に、ＬＥＤの発光効率は温度依存性を有するが、駆動装置３０によれば、温度に応じてベース電流の値を変化させることにより、温度が変化しても白色の色味が変化しないよう調整することができる。
【０１０９】
また、各ＬＥＤの発光効率は、一般に、個体依存性を有するため、使用するＬＥＤを交換すると、白色の色味に変化が生じ得る。駆動装置３０によれば、このような場合であっても、ベース電流の値を調整することにより、白色の色味を一定に保つことができる。
【０１１０】
（実施形態３に関する付記事項）
以上の説明では、可変部Ｒ１及び可変部Ｒ２が、ＬＥＤ（Ｒ）１００及びＬＥＤ（Ｇ）２００に接続される構成を例に挙げたが、これは本実施形態を限定するものではない。より一般に、ＬＥＤ（Ｒ）１００、ＬＥＤ（Ｇ）２００、及びＬＥＤ（Ｂ）３００のうち、動作電圧が最も高いＬＥＤ以外のＬＥＤに対して、抵抗部Ｒ１及び抵抗部Ｒ２を接続する構成とすればよい。
【０１１１】
また、以上の説明では、抵抗部Ｒ１及び抵抗部Ｒ２が、ＬＥＤ（Ｒ）１００及びＬＥＤ（Ｇ）２００のカソード側に接続される構成を例に挙げたが、本実施形態はこれに限定されるものではなく、抵抗部Ｒ１及び抵抗部Ｒ２は、ＬＥＤ（Ｒ）１００及びＬＥＤ（Ｇ）２００のアノード側に接続される構成としてもよい。
【０１１２】
また、以上の説明では、駆動装置３０が、抵抗部Ｒ１及び抵抗部Ｒ２の２つの抵抗部を備える構成を例に挙げたが、本実施形態はこれに限定されるものではない。一般に、各ＬＥＤの動作電圧は、ＬＥＤを構成する材料及び、ＬＥＤが搭載されるチップのサイズ等に応じて変化しうる。これらの材料及びチップサイズ如何によっては、抵抗部Ｒ１及び抵抗部Ｒ２のうち、何れか一方を省略することも可能である。
【０１１３】
（実施形態１〜３に関する付記事項）
以上、本実施形態１〜３においては、光源として赤色ＬＥＤ、緑色ＬＥＤ、及び青色ＬＥＤの３つのＬＥＤを使用する場合を例に挙げたが、上記の実施形態はこれに限定されるものではなく、複数の原色を発光できる光源であれば良く、例えば、高圧水銀ランプ等を光源として用いてもよい。また、光源の個数も３個に限定されるものではない。
【０１１４】
また、本実施形態１〜３に係る光源装置を備えるＬＥＤプロジェクタも上記実施形態の範疇に含まれる。
【０１１５】
なお、本発明は上述した本実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１６】
本発明は、光源を駆動する光源駆動装置に好適に用いることができる。例えば、光源としてＬＥＤを用いたＬＥＤプロジェクタに好適に用いることができる。
【符号の説明】
【０１１７】
１、２、３              光源装置
１０、２０、３０        駆動装置（光源駆動装置）
１１、１２              スイッチ部
１３、１４              抵抗（抵抗部）
１５                    電流供給部
１６、２３、３９        制御部
２１、２２              可変抵抗（抵抗部）
３１、３２              トランジスタ
３３、３４、３５、３６  抵抗
３７、３８              電源
１００                  ＬＥＤ（Ｒ）
２００                  ＬＥＤ（Ｇ）
３００                  ＬＥＤ（Ｂ）
【図１】
2012256545.tif 000003
【図２】
2012256545.tif 000004
【図３】
2012256545.tif 000005
【図４】
2012256545.tif 000006
【図５】
2012256545.tif 000007
【図６】
2012256545.tif 000008
【図７】
2012256545.tif 000009
【図８】
2012256545.tif 000010